(57)【要約】  地図表示制御装置は、ディスプレイに表示する地図表示情報を含んだ地図情報を格納する地図情報格納部と、使用者による目的に応じた地図への変更指示が入力可能な指示入力部と、地図の目的に応じて地図表示情報の密度を設定可能であるとともに、変更指示に基づき地図と地図の目的に応じて設定された地図表示情報の密度に合わせて地図情報を処理する情報描画部と、情報描画部の指示に基づいて変更された地図を地図に応じて設定された地図表示情報の密度でディスプレイに表示すべく指示信号を出力する表示制御部とを備えた。
2013103002.tif 000002
【特許請求の範囲】
【請求項１】
ディスプレイに表示する地図表示情報を含んだ地図情報を格納する地図情報格納部と、
使用者による目的に応じた地図への変更指示が入力可能な指示入力部と、
前記地図の目的に応じて前記地図表示情報の密度を設定可能であるとともに、前記変更指示に基づき前記地図と当該地図の目的に応じて設定された地図表示情報の密度に合わせて前記地図情報を処理する情報描画部と、
該情報描画部の指示に基づいて前記変更された地図を当該地図に応じて設定された地図表示情報の密度で前記ディスプレイに表示すべく指示信号を出力する表示制御部と
を備えたことを特徴とする地図表示制御装置。
【請求項２】
現在位置を検出するためのセンサからの信号に基づき現在位置を特定する現在位置検出部と、
前記指示入力部による使用者の指示に基づき所望の施設を検索する施設検索部と、
前記指示入力部からの指示に基づき少なくとも現在位置周辺の地図もしくは前記所望の施設周辺の地図を前記ディスプレイに表示すべく前記地図情報を処理する情報描画部を備え、
該情報描画部は前記所望の施設周辺の地図の地図表示情報の密度を、前記現在位置周辺の地図の地図表示情報の密度より高くして表示することを特徴とする
請求項１記載の地図表示制御装置。
【請求項３】
前記地図情報格納部は地図表示情報として各種アイコン、道路幅、文字を含み、
前記情報描画部は指示された前記地図の地図表示情報の密度に応じて表示される該地図表示情報のうち各種アイコン、道路幅、文字のうち少なくともいずれか１つの大きさを調整する、あるいは指示された前記地図の地図表示情報の密度に応じて前記文字の表示位置あるいは角度を調整することを特徴とする
請求項２記載の地図表示制御装置。
【請求項４】
前記情報描画部は、前記指示入力部からの指示により表示中の前記地図について縮尺を変更すべき指示が入力された場合であっても、前記縮尺の変更前の地図表示情報の密度を維持することを特徴とする
請求項３記載の地図表示制御装置。
【請求項５】
前記地図情報格納部に格納されている地図情報は異なる縮尺に対応する複数の地図情報として階層化され、かつ、各々の縮尺における地図情報は複数の区画から構成されているものであって、
前記情報描画部は、前記所望の施設周辺の地図を表示する指示を受けた場合には、前記所望の施設周辺の地図に対して使用されている縮尺の地図より詳細側の階層の地図情報を用いるとともに、当該詳細側の階層の地図情報において複数の区画を圧縮して画面に表示することにより地図表示情報の密度を高めることを特徴とする
請求項２記載の地図表示装置。
【請求項６】
ディスプレイに表示する地図表示情報を含んだ地図情報を格納する地図情報格納部と、
使用者による目的に応じた地図への変更指示が入力可能な指示入力部と、
前記地図の目的に応じて前記地図表示情報の密度を設定可能であるとともに、前記変更指示に基づき前記地図と当該地図の目的に応じて設定された地図表示情報の密度に合わせて前記地図情報を処理する情報描画部と、
該情報描画部の指示に基づいて前記変更された地図を当該地図に応じて設定された地図表示情報の密度で前記ディスプレイに表示すべく指示信号を出力する表示制御部と、
この表示制御部からの指示信号を受けて情報を表示するディスプレイと
を備えたことを特徴とするナビゲーション装置。
【発明の詳細な説明】
【技術分野】
【０００１】
この発明は、異なる目的に対応する地図を表示する地図表示制御装置およびこれを用いたナビゲーション装置に関するものである。
【背景技術】
【０００２】
特許文献１は従来の移動体の現在位置表示装置で、移動体の走行速度が低速域にあるときには町名レベルの地図情報を読み出して詳細度が高い地図を画面に写し出し、中速域にあるときには市名レベルの地図情報を読み出して詳細度が普通の地図を画面に写し出し、高速域にあるときには県名レベルの地図情報を読み出して詳細度の低い地図を画面に写し出すものである。【０００３】
特許文献２も特許文献１と同様なもので、図２などに示されるように自車位置マーク２４の周辺の地図に表示する各種データの情報量を増加キー１６または減少キー１７を適宜操作することにより、表示される各種データの量を手動調整可能なように構成したものである。
【先行技術文献】
【特許文献】
【０００４】
【特許文献１】特開平２−１３０４１２号公報（第３頁右上欄第１行乃至第１０行）
【特許文献２】特開平２００４−１６３５２５号公報（段落００２４及び図２、図３あるいは段落００２８及び図２、図４）
【発明の概要】
【発明が解決しようとする課題】
【０００５】
以上のように上述の特許文献１あるいは特許文献２では、地図情報の詳細度を変化させることを提案している。しかしながら、これらはいずれも、現在位置周辺の地図のみについて論じたものであり、地図の表示目的を変更すること、およびこれら各種地図の表示目的に応じて地図表示情報の密度を設定するというについては何ら開示も示唆もしないものであった。【０００６】
即ち、地図表示制御装置がディスプレイに表示指示すべき情報は現在位置周辺表示に限られるものではなく、現在位置周辺表示、施設の検索後の所望の施設周辺表示、目的地設定後の目的地周辺表示、現在位置から目的地までの全体経路表示など、種々のものがあるが、それぞれの表示目的に応じて適切な地図表示情報の密度を設定することについてなんら考慮するものではなかった。【０００７】
そこでこの発明は、使用者による目的に応じた地図への変更指示に基づき地図と地図の目的に応じて設定された地図表示情報の密度に合わせてディスプレイに情報を表示すべく指示信号を出力することができるようにしたものである。
【課題を解決するための手段】
【０００８】
この発明に係る地図表示制御装置は、ディスプレイに表示する地図表示情報を含んだ地図情報を格納する地図情報格納部と、使用者による目的に応じた地図への変更指示が入力可能な指示入力部と、地図の目的に応じて地図表示情報の密度を設定可能であるとともに、変更指示に基づき地図と地図の目的に応じて設定された地図表示情報の密度に合わせて地図情報を処理する情報描画部と、情報描画部の指示に基づいて変更された地図を地図に応じて設定された地図表示情報の密度でディスプレイに表示すべく指示信号を出力する表示制御部とを備えたものである。【０００９】
またこの発明に係るナビゲーション装置は、ディスプレイに表示する地図表示情報を含んだ地図情報を格納する地図情報格納部と、使用者による目的に応じた地図への変更指示が入力可能な指示入力部と、地図の目的に応じて地図表示情報の密度を設定可能であるとともに、変更指示に基づき地図と地図の目的に応じて設定された地図表示情報の密度に合わせて地図情報を処理する情報描画部と、情報描画部の指示に基づいて変更された地図を地図に応じて設定された地図表示情報の密度でディスプレイに表示すべく指示信号を出力する表示制御部と、この表示制御部からの指示信号を受けて情報を表示するディスプレイとを備えたものである。
【発明の効果】
【００１０】
この発明に係る地図表示制御装置においては、使用者による目的に応じた地図への変更指示に基づき地図と地図の目的に応じて設定された地図表示情報の密度に合わせてディスプレイに情報を表示すべく指示信号を出力することができる。【００１１】
また、この発明に係るナビゲーション装置においては、使用者による目的に応じた地図への変更指示に基づき地図と地図の目的に応じて設定された地図表示情報の密度に合わせてディスプレイに情報を表示することができる。
【図面の簡単な説明】
【００１２】
【図１】この発明の実施の形態１を示す地図表示制御装置およびこれを用いた車載用ナビゲーション複合装置の構成を示す全体構成図である。
【図２】この発明の実施の形態１の地図表示装置が持つメニュー画面例と、各画面での操作による画面遷移の例である。
【図３】一般的に車載用ナビゲーション複合装置に使用されている階層化された地図情報を模式的に表した図である。
【図４】一般的に車載用ナビゲーション複合装置に使用されている階層化された地図情報の上層地図情報を用いて表示した地図と下層地図情報を用いて表示した地図とを示した一例である。
【図５】この発明の実施の形態１の上層地図情報を用いて表示した地図と下層地図情報を用いて表示した地図とを示した一例である。
【図６】この発明の実施の形態１のディスプレイ１６の地図表示範囲と地図情報のパーセルとの関係の例を示す図である。
【図７】この発明の実施の形態１の動作を示すフローチャートである。
【図８】この発明の実施の形態１の下層地図情報の４パーセルを圧縮してディスプレイの表示範囲に合わせた例を示す図である。
【図９】この発明の実施の形態１の経路全体の地図をリンクとノードで表した説明図である。
【図１０】この発明の実施の形態２の上層地図情報の１／４パーセルを伸張してディスプレイの表示範囲に合わせた例を示す図である。
【発明を実施するための形態】
【００１３】
実施の形態１．
図１は、この発明を実施するための実施の形態１における地図表示制御装置およびこれを用いたナビゲーション装置の構成を示す全体構成図で、特に車載用ナビゲーション装置に適用した一例である。なお近年の車載用ナビゲーション装置としてはナビゲーション装置とＡＶ（Ａｕｄｉｏ  Ｖｉｓｕａｌ）装置とが連携した複合機が主流であるので、ここではナビゲーション装置とＡＶ装置とが連携した車載用ナビゲーション複合装置を例示して説明する。
【００１４】
図１において詳細は後述するが、地図表示制御装置１は、地図表示制御装置全体の動作を制御するコントロールユニット２、ＧＰＳ受信機３と自立航法センサ４の信号を受けて自車両の現在位置と進行方向を求める現在位置検出部５、交通情報を送受信する交通情報送受信部６、および各種情報を格納する情報格納部７を備えている。また、地図表示制御装置１は、コントロールユニット２からの指示に基づき情報格納部７の情報を更新する情報更新部８、外部からの地図に関する情報あるいはＡＶに関する情報を受ける情報入力部９、使用者の指示を受け付ける指示入力部１０、および所望の施設や場所などを検索する施設検索部１１を備えている。さらに、地図表示制御装置１は、使用者が望む地点に到達するのに望ましい経路を計算する経路計算部１２、および使用者が走行中に迷うことがないよう所定の要所で進行すべき方向などについて誘導用情報を提供する誘導案内部１３を備えている。また、地図表示制御装置１は、地図あるいは誘導用情報の描画のための情報処理を行うとともに車載用ナビゲーション複合装置が有する各種機能の設定などをメニューとして視覚的に提供するための情報処理を行う情報描画部１４、この情報描画部１４の情報処理結果を受けて外接されたディスプレイ１６に表示指示を行う表示制御部１５、ＡＶ情報あるいは誘導用情報などの音声に関する情報を受領し外接されたスピーカー１８から音声出力するための音声制御部１７を備えている。
【００１５】
ＧＰＳ受信機３は、ＧＰＳ衛星からの電波により自車両の現在位置を測定する衛星航法システムを適用するためのものである。自立航法センサ４は、各種センサにより自車両の現在位置や方位を検出して自立航法システムを適用するためのもので、自車両の方位を検出する方位センサや車輪の回転数を検出して走行距離を検出する走行距離センサなどにより構成されている。現在位置検出部５は、ＧＰＳ受信機３および自立航法センサ４の信号を受け、衛星航法システムと自立航法システムとを併用し、かつ、後述の地図情報に基づきマップマッチングを行い、自車両の現在位置と進行方向を検出するためのものである。なおマップマッチングとは、例えば後述する地図情報の道路情報と右左折を含む自車両の走行軌跡などを勘案し、検出された自車両の現在位置と対比して一番確からしい位置を自車両の現在位置として割り出す一手法である。なお、この実施の形態１では、衛星航法システムと自立航法システムの両方を併用するハイブリッド方式を採用する場合を説明するが、いずれか一方のみの航法システムを採用するものであっても構わない。交通情報送受信部６は、逐次、もしくは所定のタイミングで交通情報を受信あるいは送信するものであって、ＦＭ多重放送、電波ビーコン、光ビーコンにより提供される交通情報（ＶＩＣＳ（Ｖｅｈｉｃｌｅ  Ｉｎｆｏｒｍａｔｉｏｎ  ＆  Ｃｏｍｍｕｎｉｃａｔｉｏｎ  Ｓｙｓｔｅｍ）（登録商標）に代表される）を受信するものであり、各道路の渋滞状況、渋滞距離、通行規制、走行所要時間などを含む情報が得られる。また、交通情報送受信部６として、近年ではＤＳＲＣ（Ｄｅｄｉｃａｔｅ  Ｓｈｏｒｔ  Ｒａｎｇｅ  Ｃｏｍｍｕｎｉｃａｔｉｏｎ）も採用されつつあり、路側機と車載器との間の双方向通信あるいは一方向通信に用いることで様々なサービスを使用者へ提供することができる。また交通情報送受信部６が交通情報を送信する送信機として機能する場合としては、自車両に関する情報、例えば現在位置や、走行速度、その他のプローブ情報と呼ばれる情報を送信する場合などがある。なお交通情報を双方向で授受しない場合は、交通情報送受信部６は、交通情報受信部に代えることができる。
【００１６】
情報格納部７は、ナビゲーション機能あるいはエンターテイメント機能などに必要な情報を格納するもので、その代表的なものとして地図情報を格納した地図情報格納部７１と音声あるいは映像もしくはその両方の情報を格納したＡＶ情報格納部７２を備えており、これらはメモリ装置で構成されている。地図情報格納部７１は、地図情報として予め定められた縮尺に対応する複数の地図情報を階層化して備えており、これらの地図情報は、地図表示情報を備えたものである。ここで地図表示情報とは、道路に関する「道路情報」、施設に関する「施設情報」（種別、名称、位置等）、「各種文字情報」（地名、施設名、交差点名、道路名など）、および施設・道路番号などを表す「各種アイコン情報」などのうちの少なくとも１つを含むものであり、ディスプレイ１６に表示されるものである。なお地図情報格納部７１には、地図情報として、誘導案内部１３で用いるための誘導用情報（所定の要所の位置情報、当該要所での描画情報、更には音声案内情報など）、あるいはディスプレイ１６には表示されないデータ情報（例えば、道路をリンクと呼ばれる線分と、ノードと呼ばれる点で表現した情報、当該リンクを走行するために要する負荷としてのリンクコストなど、あるいは、これら以外の多種多様な情報）なども含まれている。ここで情報格納部７の代表的なものとしてはＨＤＤ（Ｈａｒｄ  Ｄｉｓｋ  Ｄｒｉｖｅ）が挙げられるが、これ以外にも半導体素子を用いたメモリ装置であっても良い。なお情報格納部７に格納されている地図情報あるいはＡＶ情報は変更可能なものであり、コントロールユニット２の指示を受け情報更新部８により一部更新、一部追加、一部削除、全削除あるいは全面更新などの変更が可能である。
【００１７】
情報入力部９は、車載用ナビゲーション複合装置に地図情報あるいはＡＶ情報を供給するものである。即ち情報入力部９は、外部からの情報を受けて情報格納部７の情報を更新するために用いることができる。あるいは、情報入力部９は、外部からの情報を受けて情報入力部９自身が情報格納部７として機能することもできる。ここで情報入力部９が受け入れる外部からの情報とは、具体的にいうと地図情報やＡＶ情報である。情報入力部９は、これらを含んだＣＤ−ＲＯＭ、ＤＶＤなどに代表されるディスクメディアや、ＳＤカードなどに代表される半導体メディアを受け入れる挿入部を備え、挿入部に装着されたメディアから上述の情報を読み込むものである。このときこれらのメディアの情報を情報格納部７に格納しても良いが、情報格納部７を設けず情報入力部９がメディアの情報を用いて情報格納部として機能するようにしても良い。なお情報入力部９の変形例としては、情報入力部９がＵＳＢなどの接続端子であって、この接続端子と情報を有する携帯型のメディアを直接もしくは有線で接続することも考えられる。なおこの携帯型のメディアには携帯型の楽曲プレイヤーあるいはその機能を搭載したものが含まれていても良い。更に携帯電話あるいは携帯型タブレットなどの携帯型情報通信機器と情報入力部９とは、有線で繋がれていても良いが、物理的に接続されている必要はなく、無線で情報の授受をするものであっても良い。ここで無線とは有線に対して、線で接続されていないものという意味であり、その情報授受の方式（電波、光など）は問わない。
【００１８】
また情報入力部９は、別途設置された情報センターと情報の授受を行う通信機器を内蔵し、この通信機器により例えば、上述の地図情報、ＡＶ情報のいずれかの情報あるいは他の情報などを授受するものであっても良い。なおこの通信機器を内蔵する代わりに、上述の携帯型情報通信機器を用いるものであっても良い。
【００１９】
指示入力部１０は、使用者による指示を受けて車載用ナビゲーション複合装置にその指示を入力するものである。使用者による諸々の指示は、車載用ナビゲーション複合装置に設けられたハードウエアのスイッチ、後述するディスプレイに設定され表示されるタッチスイッチ、あるいはハンドル等に設置されたリモコンもしくは別体のリモコンによる指示を認識する認識装置、もしくは、使用者の声による指示を認識する音声認識装置などによるものが挙げられる。
【００２０】
施設検索部１１は、地図情報格納部７１に格納された施設情報から所望の施設を検索するもので、指示入力部１０で受けた使用者の指示に基づいて地図情報格納部７１の地図情報を検索して所望の施設や場所などを検索するものである。施設検索部１１で検索した結果は、ディスプレイ１６などに表示され使用者に提示される。
【００２１】
経路計算部１２は、自車両の現在位置から使用者が設定した地点（目的地あるいは経由地など）までの最適な経路（以下、推奨経路と称する）を計算するためのもので、現在位置検出部５から自車両の現在位置を入手するとともに、指示入力部１０から入力された地点情報と、地図情報格納部７１から入手した地図情報などに基づいて推奨経路を計算し、ディスプレイ１６に表示指示し使用者に提示される。経路計算部１２の経路計算の一例としては各道路を線分で表したリンクにそれぞれ割り当てられたリンクコストを累積し、最小のリンクコストとなる経路を演算する公知のダイクストラ法などが用いられる。なお、推奨経路の例としては、経路が最短となるもの（最短）、所要時間が最も短くなるもの（最速）、有料道路の費用も含め最も安価になるもの（安価）、最も燃費が良い経路を選択するもの（低燃費）、あるいは時間と費用のバランスが良い（標準）などを選択可能としても良い。また、それぞれの選択肢、例えば最短において、複数経路を提示するようにしても良い。この場合に提示される複数経路は、必ずしも全ての経路が最短ではないこともあるが、ある程度の許容量をもって提示するものとする。これは他の選択肢（最速、安価、低燃費、標準など）についても同様である。
【００２２】
誘導案内部１３は、推奨経路を走行中に交差点あるいは分岐路などの進路変更すべき地点、間違えやすい地点あるいは複数車線を有する道路を走行中にその先の右左折を加味して予め所定の車線に車線変更しておくよう誘導する地点など所定の要所で使用者の運転操作を補助するためのものである。誘導案内部１３は、現在位置検出部５から自車両の現在位置を入手し、経路計算部１２から推奨経路を得るとともに地図情報格納部７１から地図情報に含まれる誘導用情報を得て、自車両が当該所定の要所、例えば進路変更すべき交差点の所定距離だけ手前に到達した際に、例えば、当該交差点において進むべき方向を矢印や道路への塗色などにより可視的に付与し、かつ、拡大あるいは拡大変形した拡大案内図を出力指示する。もしくは進むべき方向を可視的に付与しかつ当該要所の実際の画像もしくはこれに類似した画像を出力指示するものである。
【００２３】
情報描画部１４は、ディスプレイ１６に文字や画像などの所望の各種情報を描画するための描画情報を出力指示するためのものであって、少なくとも使用者からの指示に基づき上述の地図情報を処理して所望の地図を描画する地図描画部１４１を含んでいる。またこの実施の形態１では、メニュー画面の状態を管理し、メニュー画面を描画するメニュー描画部１４２を含んでいる。
【００２４】
ここで具体的な動作については後述するが、地図描画部１４１は、地図情報格納部７１、現在位置検出部５、施設検索部１１、経路計算部１２、誘導案内部１３およびメニュー描画部１４２から必要な情報を取得し、ディスプレイ１６に表示すべき情報を処理し、表示制御部１５に対して処理結果を出力する。表示制御部１５はこの出力を受け、表示制御部１５に接続されたディスプレイ１６に所望の地図を描画するよう指示出力する。ディスプレイ１６は、表示制御部１５の指示に基づき画面上に所望の情報の描画を行う。
【００２５】
またメニュー描画部１４２は、指示入力部１０から得た使用者による指示に基づいてメニューを表示するもので、表示制御部１５を介してディスプレイ１６に所望のメニューを描画するよう指示する。このメニュー描画にはディスプレイ１６の表示画面上に設定されるタッチスイッチの設定が含まれ、使用者がタッチスイッチを操作した場合には、その操作が指示入力部１０で認識されるようになっている。
【００２６】
また表示制御部１５は、ＡＶ情報格納部７２に格納された画像情報をディスプレイ１６に描画するよう出力指示することが出来る。
【００２７】
音声制御部１７は、誘導案内部１３からの誘導用情報を受けて音声にて出力するようスピーカー１８に出力指示することができる。なおスピーカー１８は複数本装備されており、音声制御部１７は、そのうちの運転席に近いスピーカーから誘導用情報を出力するよう制御する。なおスピーカー１８は全て同じものとは限らず、高音を主として出力するもの、中音を主として出力するもの、低音を主として出力するものなど、異なる構造のスピーカーで役割分担されていても良い。ここで誘導用情報の出力に用いられるスピーカーは、聞き取りやすさを考慮して、中音を主として出力するものが望ましい。あるいはＡＶ情報出力用のスピーカー１８とは別に、車載用ナビゲーション複合装置に誘導情報を出力するためのスピーカーを内蔵するものであっても良い。
【００２８】
また音声制御部１７は、ＡＶ情報格納部７２に格納された音声情報あるいは情報入力部９から得られた音声情報を各スピーカー１８に適切な配分で出力指示するものである。更にＡＶ情報格納部７２もしくは情報入力部９から得られた情報がテレビ放送やＤＶＤなどの音声情報と映像情報の両方を含むものであった場合は、音声制御部１７は当該音声情報をスピーカー１８に出力指示するとともに表示制御部１５は映像情報をディスプレイ１６に出力指示し協働して動作しエンターテイメント機能を実現する。
【００２９】
なお、上述では代表的な各機能をそれぞれコントロールユニット２とは独立して説明しているが、これらの各機能、例えば現在位置検出部５、情報更新部８、施設検索部１１、経路検索部１２、誘導案内部１３、情報描画部１４、表示制御部１５および音声制御部１７は、コントロールユニット２に内蔵されてもよく、例えばマイコンでこれらの機能を達成するようにしても良い。また情報描画部１４と表示制御部１５は、一体のものでもよい。
【００３０】
また車載用ナビゲーション複合装置は、地図情報格納部７１に格納された地図情報に基づいて動作する独立方式でも良いし、必要なときに必要な範囲の地図情報を通信にて入手しこれをＤＲＡＭなどで構成される内部のワークメモリ装置に一時記憶して使用する通信方式でも良い。
【００３１】
次に図２を用いて実施の形態１の概念について説明する。
【００３２】
ここで図２では、２．１現在位置周辺の地図、２．４所望の施設周辺の地図および２．５経路全体の地図を例示して以下説明するが、これらは別々の地図を有しているという訳ではなく、単に表示対象を変更しているものである。
【００３３】
図２は、実施の形態１の地図表示装置が持つメニュー画面例と、各画面での操作による目的に応じた地図への変更指示、即ち画面遷移の例である。以下のメニュー画面の表示あるいは所望の地図の表示は、使用者からの変更指示を指示入力部１０で受け、これに基づき情報描画部１４で当該指示に応じた処理を実行し、表示制御部１５から指示信号としてディスプレイ１６に向けて与えられる。まず図２の２．１は地図表示の目的として現在位置周辺表示を選択して表示させている状態で、例えば自車両をほぼ中心として１ｋｍ四方が表示された地図である。このときの自車両の現在位置は、ＧＰＳ受信機３あるいは自立航法センサ４などの情報を基に現在位置検出部５にて演算される。なお実際のディスプレイ１６の画面は通常、横長になっており表示範囲が正方形状（1ｋｍ四方）となっているとは限らないが、本実施の形態１では説明を簡略化するため正方形状の表示と仮定して説明する。この２．１の現在位置周辺の地図は、車載用ナビゲーション複合装置の使用において表示機会が最も多い状態であると考えられる。ここで２．１の画面右下のメニューボタンはディスプレイ１６の表示画面に設定されたタッチスイッチで、メニューボタンを押下することにより、２．１の現在位置周辺の地図の表示から、２．２の機能を選択するためのメニュー画面に遷移する。即ちこの実施の形態１では、指示入力部１０への指示入力として、使用者によるタッチスイッチの操作を例示して説明する。
【００３４】
２．２のメニュー画面では、「施設検索」、「周辺施設検索」および「経路全体表示」の３つの機能を実行するタッチスイッチを例示するとともに、２．１の現在位置周辺の地図に戻るための「戻る」というタッチスイッチを用意している。なお車載用ナビゲーション複合装置で選択して表示する画面は２．２のメニュー画面に示されたものに限られるものではなく、目的地周辺、経由地周辺あるいは自宅周辺など多様なものを含めることが可能であることを付言しておく。
【００３５】
２．３は、２．２のメニュー画面において施設検索ボタンを押下し、施設検索を行った結果を表示する施設一覧画面である。施設検索の方法は、指示入力部１０からの使用者の指示に沿って地図情報格納部７１の施設情報を用いて施設種別や地理的位置を条件として絞り込んでいく方法など種々のものがあるが、ここでは詳述しない。この施設検索は施設検索部１１により実行される。また施設検索して選択した所望の施設を使用者の指示により目的地として設定した場合は、自車両の現在位置から当該所望の施設までの推奨経路が経路計算部１２で計算されるとともに、当該推奨経路中の所定の要所で必要な誘導について誘導案内部１３にて計算される。これらの計算結果は、現在位置検出部５で得た自車両の現在位置とともに情報描画部１４に与えられ、自車両が所定の要所に到達したときに地図表示中もしくは地図から誘導用情報に切り替えて適宜表示される。また誘導案内部１３からの誘導用情報に基づき音声制御部１７を介して一部のスピーカー１８から所定の要所において音声による案内も行う。
【００３６】
２．４は、２．３の施設一覧画面においてＡＢＣレストランのタッチスイッチを押下することにより地図表示の目的として施設周辺表示を選択し、２．４の所望の施設周辺の地図を表示する画面に遷移した例を示す画面である。ここでは所望の施設であるＡＢＣレストランを中心とする地図を表示する。この地図は、例えばＡＢＣレストランの周辺に存在する駐車場を探すなどの用途に用いられる。施設周辺を表示するときは、より多くの地図表示情報を必要とするため、２．１の現在位置周辺の地図における地図表示情報の密度に比して地図表示情報の密度が高い地図になるよう、即ち、ディスプレイ１６中の地図表示情報が多数表示されるよう自動的に表示する。これは、使用者により２．１の現在位置周辺の地図の表示から２．４の所望の施設周辺の地図の表示にする旨の変更指示があった場合、表示する地図を２．４の所望の施設周辺の地図の表示に変更するとともに地図表示の目的に応じて地図表示情報の密度も合わせて変更することにより達成される。
【００３７】
ここで地図の縮尺、即ちディスプレイの画面上の表示範囲と、地図表示情報の密度との関係について説明しておく。説明の簡略化のために、２．１の現在位置周辺の地図および２．４のＡＢＣレストラン周辺の地図の画面の表示範囲は、いずれも１ｋｍ四方であったと仮定する。即ち２．１の現在位置周辺の地図および２．４のＡＢＣレストラン周辺の地図ともに、同じ階層の地図情報を用いてそのまま表示していたとする。このとき２．１の現在位置周辺の地図を表示している場合は、推奨経路や地図の見易さを考慮して地図表示情報が必要以上に多いものは望ましくない。他方、２．４のＡＢＣレストラン周辺の地図を表示している場合は、ＡＢＣレストラン周辺の駐車場などを探すため、２．１の現在位置周辺の地図の場合に比し、より細い道などの道路情報や地名などの文字情報、あるいは、より詳細な施設情報もしくは各種アイコン情報（ガソリンスタンド、銀行、コンビニエンスストア、駐車場など）に代表される更に詳細な地図表示情報を多数表示することが望ましい。即ち、２．１の現在位置周辺の地図を表示する場合にディスプレイ１６に表示される地図表示情報の密度がちょうど良いとするならば、２．４のＡＢＣレストラン周辺の地図を表示する場合には地図表示情報が足りないということになる。
【００３８】
このとき地図の縮尺を変更してより詳細な地図を表示するように設定変更すればより詳細な地図表示情報が得られるものの、この場合、ディスプレイ１６の画面に表示される地図の表示範囲が例えば５００ｍ四方になってしまい、多数の駐車場位置を同時に参照できなくなるため、その位置関係が把握しづらいということがある。
【００３９】
そこで、この実施の形態１は、２．１の現在位置周辺の地図および２．４のＡＢＣレストラン周辺の地図ともに同じ縮尺を選択していた場合、例えば使用者が、1ｋｍ四方の地図を画面に表示する２．１の現在位置周辺の地図から、1ｋｍ四方の地図を画面に表示する２．４のＡＢＣレストラン周辺の地図に画面に変更指示したときに、1ｋｍ四方の地図を画面に表示した状態を維持したままで、かつ、２．１の現在位置周辺の地図よりも地図表示情報の密度を自動的に高めて表示することにより、より多くの各種アイコン情報、道路情報、施設情報、各種文字情報などの地図表示情報を表示して、使用者の操作を最小限にしつつ、より望ましい地図を自動的に得ることを可能としたものである。
【００４０】
次に上述の技術効果を達成するための概念について説明する。
【００４１】
上述の図１で説明した地図情報格納部７１には道路情報、施設情報、アイコン情報あるいは文字情報などの地図表示情報を含んだ地図情報が格納されているが、これは予め定められた異なる縮尺に対応する複数の地図情報を階層化して格納されたものである。この地図情報は、下層側ほど縮尺の大きい地図（詳細な地図）に対応し、より多くの地図表示情報を有する。図３は、一般的に車載用ナビゲーション複合装置に使用されている階層化された地図情報を模式的に表した図である。ここでは２階層しか記載していないが、実際には広域から狭域にかけて予め定められた縮尺を有する階層の地図情報が１０階層程度存在する。また、ディスプレイ１６に表示される各階層の地図表示情報の密度は、ほぼ同等である。即ち、縮尺を大きくして地図を狭域にし、下層側の階層にするほど地図表示情報の量は増加する。しかしながら、下層側の階層にすればディスプレイ１６の表示範囲が狭くなるため、結局、ディスプレイ１６に表示される地図表示情報の量としてはあまり変わらない。
【００４２】
これを理解するために図４を例示する。
【００４３】
図４は、図３の地図情報に基づき上層地図情報（広域地図情報）を用いた地図の表示と下層地図情報（狭域地図情報）を用いた地図の表示とを示した一例である。図４によれば、縮尺を大きいものに変更し、単に上層地図情報を下層地図情報に変更しただけでは、上層地図情報を用いた地図では表示されていなかった地図表示情報を表示するようにはなるものの、表示される範囲が狭くなるので、ディスプレイ１６上での地図表示情報の量、即ち地図表示情報の密度はほとんど同じであることが分る。
【００４４】
ここで、なぜ図４のような表示になるのか地図情報の構造に基づいて説明する。下層の地図情報は、図４の下層地図情報を用いた地図に示したように上層地図情報よりも多くの地図表示情報を含んでいる。例えば図４の東京駅の周辺には上層地図情報を用いた地図にはなかった種々のコンビニエンスストアのアイコンが表示されている。ここで、各階層の地図は、図３に示すようにパーセルと呼ばれる複数の区画の集合から成り立っているが、下層地図情報１パーセル（＝５００ｍ四方）は上層地図情報１パーセル（＝１ｋｍ四方）をｎ枚（この例では４枚）に分割したうちの１枚である。このため、ディスプレイ１６の表示範囲を仮に各階層の１パーセルとした場合、上層地図情報を用いた場合の表示範囲（１ｋｍ四方）よりも下層地図情報を用いた場合の表示範囲（５００ｍ四方）が狭くなっている。従って小さい縮尺（１ｋｍ四方）から大きい縮尺（５００ｍ四方）に変更して、上層地図情報から下層地図情報へ利用する地図を変更すると、上層地図情報を用いた場合にはなかった地図表示情報が表示されるようになるが、その反面、ディスプレイ１６に表示される範囲が１ｋｍ四方から５００ｍ四方へ狭くなるので表示される地図表示情報の密度としてはほとんど変わらない。
【００４５】
このため表示される範囲が狭くなるので所望の施設周辺の地図表示情報の位置関係を広く知ることが出来ないこととなる。
【００４６】
そこで実施の形態１は、図５に示すように地図の表示範囲（１ｋｍ四方）を変えることなく地図表示情報の密度を高めることができるようにしたものである。
【００４７】
図５は、実施の形態１の上層地図情報を用いて表示した地図と下層地図情報を用いて表示した地図とを示した一例である。この図によれば、上層地図情報を用いて表示した地図と下層地図情報を用いて表示した地図の表示範囲は同じであるものの、下層地図情報を用いて表示した地図では上層地図情報を用いて表示した地図に比し、地図表示情報の密度が高くなっていることが分る。図５の下層地図情報を用いて表示した場合は、ｎ枚の下層地図情報（図３の例では４枚）の区画を圧縮して、この圧縮した地図情報をディスプレイ１６の１画面に表示することにより達成される。即ち、複数の区画を圧縮して画面に表示する。
【００４８】
実施の形態１で提案している手法では、図５のように地図表示情報の密度を異ならせるために、上層地図情報を用いて表示した地図と下層地図情報を用いて表示した地図を使い分ける。即ち表示すべく使用者が選択した地図表示の目的に応じて、上層地図情報を用いて表示した地図と、下層地図情報を用いて表示した地図を使い分けることにより、地図の目的に応じて地図表示情報の密度を設定することが可能となる。
【００４９】
例えば図２の２．１の現在位置周辺の地図を表示する場合は図５の上層地図情報を用いた地図の表示を行うとともに、使用者の変更指示により画面遷移して２．４の所望の施設周辺の地図を表示する場合には、画面遷移とともに図５の下層地図情報を用いた地図を自動的に表示すれば良い。これにより使用者は単に目的に応じた地図への変更指示を出すだけで、２．１の現在位置周辺の地図の表示を指示した場合は、推奨経路あるいは自車両周辺状況を確認するのに適当な地図表示情報を知得でき、快適な運転を行うことが出来る。このときの地図表示情報の密度は、例えば、２．１の現在位置周辺の地図の表示に現在用いられている縮尺に対応する地図情報の地図表示情報の密度のままとする。
【００５０】
他方、２．４の所望の施設周辺の地図の表示に変更指示した場合には、表示する地図を２．４の所望の施設周辺の地図に変更するとともに、現在使用している縮尺の地図情報よりも１つ下層側の下層地図情報の４パーセルを圧縮して１画面に表示する手法により、地図の表示範囲を維持したままで、地図表示情報の密度を高めることができる。このためＡＢＣレストラン周辺の駐車場を数多く表示することができ所望の駐車場を探すことが出来る。
【００５１】
なお、上述では、実施の形態１の理解を助けるために、２．１の現在位置周辺の地図の表示および２．４の所望の施設周辺の地図の表示ともに１ｋｍ四方の地図表示をする縮尺の場合を例示して説明したが、それぞれの地図の縮尺、即ち表示範囲は使用者の望む範囲に自由に設定すればよい。
【００５２】
この実施の形態１は、使用者が目的に応じた地図への変更指示をした場合に、地図とともに地図表示情報の密度もその目的に応じたものに自動的に変更して表示させる。なお地図表示情報の密度は、表示する地図の目的に応じてそれぞれ予め設定されている。即ち、所望の施設周辺の地図の表示に遷移した場合には、地図の縮尺として使用者がいずれの縮尺を選択しても、選択した縮尺の地図情報よりも所定数（例えば１階層）だけ下層側の地図情報を所定パーセル数（例えば４パーセル）だけ自動的に圧縮して表示することさえ決めておけばよい。従って、縮尺を使用者が任意に変更したとしても実施の形態１の機能が失われることはない。
【００５３】
上述の例に従って説明するならば、所望の施設周辺の地図の表示として使用者が１ｋｍ四方の地図を表示中に縮尺を変えて５００ｍ四方の地図の表示に変更したならば、５００ｍ四方の地図よりも１階層だけ下層の例えば２５０ｍ四方を１パーセルとする地図情報の４パーセルを圧縮して、ディスプレイ１６に表示すればよい。この考え方は、使用者がどのような縮尺を選択したとしても同様に適用される。
【００５４】
更に、上述ではディスプレイ１６に所望の施設周辺の地図を表示するに際して、1つ下層側の地図情報を用いているが、ここで、下層側の地図情報は、現在選択中の地図情報よりも下層側であれば良く、何階層だけ下層側であるかは問わない。例えば２階層下の地図情報の複数パーセルを圧縮して表示しても良い。
【００５５】
なお上述の説明では、説明の簡略のためにディスプレイ１６の表示範囲を１パーセルとして説明しているが、実際には図６に示すようにディスプレイ１６の表示範囲と地図情報のパーセルとは、必ずしも一致するものではない。
【００５６】
図６は、ディスプレイ１６の地図表示範囲と地図情報のパーセルとの関係の例を示す図である。この図よりディスプレイ１６の表示範囲とパーセルとは、必ずしも一致するものではないことが分る。
【００５７】
更に自車両が移動するに従い、ディスプレイ１６に表示されている地図は滑らかにスクロールしていくので、ディスプレイ１６の地図表示範囲は地図情報の複数のパーセルをまたぐこともある。
【００５８】
ここで図２に戻り、他の部分の画面遷移について説明しておく。２．３の施設一覧画面の左下部に設定されたタッチスイッチ「戻る」および２．４の所望の施設周辺の地図の左下部に設定されたタッチスイッチ「戻る」は、いずれも２．２のメニュー画面で説明したタッチスイッチ「戻る」と同様の機能を有するもので、それぞれ１つ前の画面に戻るものである。
【００５９】
また２．４の所望の施設周辺の地図の右下部に設定されたタッチスイッチ「目的地」は、画面に表示されているカーソル「＋」の示す位置を目的地に設定するためのスイッチである。例えば、２．４の「目的地」スイッチを押下することによりレストランＡＢＣを目的地に設定し、２．１の現在位置周辺の地図を表示しつつ推奨経路を計算し、計算された推奨経路をディスプレイ１６上に表示することができる。
【００６０】
なお、図２では２．１の現在位置周辺の地図から２．４の所望の施設周辺の地図に直接遷移するタッチスイッチが示されていないが、例えば、２．１の現在位置周辺の地図、もしくは２．２のメニュー画面にタッチスイッチ「目的地周辺の地図表示」を設定して表示するようにしても良い。あるいは指示入力部１０からの使用者指示に基づき、２．１の現在位置周辺の地図を表示した状態から使用者からスクロール操作の指示を受け取ったことをトリガとして、使用者が詳細な地図表示情報で周囲の地図表示情報を探していると判断し、このとき２．４の所望の施設周辺の地図と同等の地図表示密度の表示に変更して、図５の下側の地図の如く圧縮表示した状態の地図でマニュアルスクロール状態に遷移しても良い。これは所望の施設周辺に近づいたときに施設検索することなく、地図スクロールにより目で見て施設を探すときに役立つものである。
【００６１】
２．５は、計算された推奨経路の全体地図を表示する経路全体の地図である。２．２のメニュー画面に設定され表示されている「経路全体表示」ボタンを押下することで遷移する。このとき、自車両の現在位置から目的地までの残存距離により望ましい縮尺が自動的に選択される。即ち、自車両の現在位置と目的地とがディスプレイ１６の画面に入る縮尺のうち、ディスプレイ１６上で両者の距離が最も長くなる、即ち画面いっぱいを使う縮尺が自動的に選択される。自車両が走行するにつれ残存距離はどんどん減少するので、この縮尺は残存距離に応じて望ましい階層の地図情報が自動的に選択される。実施の形態１では、経路全体の地図における地図表示情報の密度は、選択された縮尺に対応する階層の地図情報の地図表示情報の密度のままとしている。
【００６２】
なお、２．５の経路全体の地図の右下に設定され表示されている「戻る」ボタンを押下することで２．２のメニュー画面に遷移する。もしくは、２．５にタッチスイッチ「現在位置周辺の地図表示」を設けて、直接、２．１の現在位置周辺の地図に遷移するようにしても良い。
【００６３】
次にフローチャートを用いて処理の流れを説明する。
【００６４】
図７は、地図表示制御装置１において、使用者による目的に応じた地図への変更指示を受けたことをトリガとして動作する画面描画処理のうち、その画面中に含まれる地図部分を描画する際の地図表示情報の密度を決定する処理のフローチャートである。
【００６５】
まずＳｔｅｐ１の処理の開始は、指示入力部１０を介した使用者からの変更指示の入力をトリガとして始まる。なお最初の電源投入時は初期設定として任意の地図、例えば２．１の現在位置周辺の地図を表示するようにしておいても良い。もちろん他の地図を初期地図としても良い。
【００６６】
指示入力部１０を介した使用者からの変更指示の入力を受け、Ｓｔｅｐ１で処理が開始されると、現在ディスプレイ１６に描画すべき地図の指示が、図２の２．１の現在位置周辺の地図なのか否かをＳｔｅｐ２にて判定する。
【００６７】
判定の結果、２．１の現在位置周辺の地図を表示する指示である場合は、Ｓｔｅｐ６にて当該地図表示に適した地図表示情報の密度の地図描画の指示信号を表示制御部１５から出力する。ここで現在位置周辺の地図の表示に適した地図表示情報の密度とは地図描画部１４１に設定されているものであって、例えば、現時点で２．１の現在位置周辺の地図の表示として選択している縮尺に対応する階層の地図情報の地図表示情報の密度をそのまま使うものである。
【００６８】
次にＳｔｅｐ２にて２．１の現在位置周辺の地図を表示する指示ではないと判定された場合は、Ｓｔｅｐ３にて図２の２．４の所望の施設周辺地図を表示する指示であるのか否かを判定する。
【００６９】
判定の結果、２．４の所望の施設周辺の地図を表示する指示である場合は、Ｓｔｅｐ７により当該地図の表示に適した地図表示情報の密度の地図、即ち２．４の所望の施設周辺の地図の目的に応じて設定された地図表示情報の密度に合わせて描画する指示を表示制御部１５から出力する。ここで表示制御部１５から出力される指示信号は情報描画部１４で演算されたものである。
【００７０】
具体的には上述で説明したように、地図描画部１４１は、２．４の所望の施設周辺の地図で現在使用している縮尺の地図情報よりも所定数だけ下層側の地図情報を地図情報格納部７１から入手し、この下層側の地図情報を所定の複数パーセル分だけ圧縮してディスプレイ１６の画面に合わせて表示できるように処理する。これによりディスプレイ１６における地図の表示範囲を変えることなく、地図表示情報の密度を高めることができる。
【００７１】
図８は、現在使用している縮尺に対応する地図情報よりも１つ下層側の地図情報の４パーセルを圧縮してディスプレイ１６の表示範囲に合わせた例を示す図である。
【００７２】
図８において、２．４の所望の施設周辺の地図では、現在、１ｋｍ四方を１画面とする縮尺が使用されているとする。そして２．４の所望の施設周辺の地図の目的に応じて設定された地図表示情報の密度は、使用されている縮尺よりも１つ下層側の地図情報を圧縮表示する旨が設定されているとする。
【００７３】
この前提において、２．４の所望の施設周辺の地図では１ｋｍ四方を１画面とする縮尺が表示地図として選択されている場合は、その表示地図の地図情報よりも１つ下層側の５００ｍ四方を１パーセルとする地図情報を用いる。そしてこの１つ下層側の地図情報において１パーセルが５００ｍ四方の地図情報を４パーセル用い、これを４分の１まで圧縮することにより、現在使用している１ｋｍ四方を１画面とする縮尺の表示範囲と同じになるように処理している。このＳｔｅｐ７の処理は、使用者が２．４の所望の施設周辺の地図への変更指示をしたことにより自動的に行われる。これは使用者が地図表示の目的として２．４の所望の施設周辺の地図を選択したことにより使用者が地図表示情報の密度が高い地図を要求していると推定できるため、２．４の所望の施設周辺の地図への変更指示をしたときには地図描画部１４１において自動的に上述の処理をするよう構成しているためである。
【００７４】
なおこの実施の形態１では、変更した先の地図が２．４の所望の施設周辺の地図である場合は、その地図表示情報の密度の設定として自動的に、２．４の所望の施設周辺の地図で選択している縮尺の地図情報よりも１つ下層側の地図情報の４パーセルを圧縮して１画面にしている。しかしながら２．４の所望の施設周辺が都会か田舎かにより地図表示情報の密度を変化させたいことも生じうる。あるいは使用者の好みなどもあるため、表示する地図を変更する際に適用される地図表示情報の密度を、使用者が予め設定もしくは初期設定から修正できるように別途スイッチなどを設けておくことが望ましい。
【００７５】
例えば、「より詳細に」「より簡略に」の２種類のスイッチを設けて使用者が好みに応じて自動圧縮する地図情報の階層を調整できるようにしても良い。即ち、自動圧縮する地図情報の階層が現在使用している縮尺の地図情報よりも２つ下層側の地図情報を用いていたと仮定した場合、「より詳細に」というスイッチを１回押せば次回の変更指示からは現在使用している縮尺の地図情報よりも３つ下層側の地図情報を用いるとともに、「より簡略に」というスイッチを１回押した場合は次回の変更指示からは現在使用している縮尺の地図情報よりも１つ下層側の地図情報を用いるようにしても良い。なお、これらの処理によりディスプレイ１６の表示範囲が変わることはない。
【００７６】
以上のように、使用者が２．１の現在位置周辺の地図の表示から２．４の所望の施設周辺の地図の表示に変更するよう指示することにより、使用者は図５の上層地図情報を用いた地図ではなく、図５の下層地図情報を用いた地図を自動的に得ることが出来る。
【００７７】
また、実施の形態１では地図情報格納部７１が元々有している複数階層の地図情報を使い分けているだけなので、新たな地図情報などを別途用意する必要がない。従って、地図情報を格納するためのメモリ容量を増大させることもない。
【００７８】
なお、当然のことであるが、下層地図の４パーセルを単純に圧縮しただけでは、地図表示情報が重複あるいは集中して見辛い地図になる。
【００７９】
このため図５の下層地図情報を用いた地図表示のように、（１）地名、施設名、交差点名など各種文字情報、即ち文字の大きさ、（２）施設、道路番号などを表す各種アイコンの大きさ、（３）一般道、高速道などの道路線の太さとしての道路幅を狭く変更して見易い地図に変換している。即ち、各種アイコン、道路幅、文字のうち少なくともいずれか１つの大きさを調整している。なおここでは地図表示情報を小さくすることについて記載した。他方、後述する実施の形態２は地図情報を伸張するものであるから、実施の形態２ではこれらの地図表示情報を大きくしても良い。
【００８０】
さらに図５では採用していないが指示された地図の地図表示情報の密度に応じて地図表示情報のうち各種アイコンもしくは文字の少なくとのいずれか一方の表示位置を変更しても良い。また指示された地図の地図表示情報の密度に応じて地図表示情報のうち各種アイコンもしくは文字の少なくとのいずれか一方の表示角度を回転変移させて見易くなるようにしても良い。
【００８１】
図７のフローチャートに戻り、この実施の形態１において、Ｓｔｅｐ２およびＳｔｅｐ３により、２．１の現在位置周辺の地図の表示でもなく、さらに２．４の所望の施設周辺の地図の表示でもないということは、２．５の経路全体の地図を表示する指示が出されているということである。
【００８２】
従って、Ｓｔｅｐ４では、現在位置検出部５で検出した自車両の現在位置と指示入力部１０を介して設定した目的地との推奨経路を勘案し、自車両の現在位置から目的地までの推奨経路がディスプレイ６の画面内に収まり、かつディスプレイ１６に表示される推奨経路ができるだけ大きくなる縮尺の地図情報、即ち画面いっぱいに使って表示できる縮尺の地図情報を選択する。この画面いっぱいに使って両者を表示できる縮尺の地図情報は、車両の走行に従って推奨経路が変化することに伴い変化する。
【００８３】
よって使用者が２．５の経路全体の地図を表示するよう変更指示を出しているときには、Ｓｔｅｐ４により適切な縮尺の地図情報を自動で選択して表示するよう地図描画部１４１で演算し、表示制御部１５から指示信号を出力する。これにより使用者は、いつでも適切な地図の表示範囲で自車両の現在位置と目的地との位置を確認できるとともに、その推奨経路を確認することが出来る。なお、このときの地図表示情報の量はそれほど要求されないと推定されるので、選択された縮尺の地図情報における地図表示情報の密度を用いても良い。
【００８４】
ここで、上述では画面いっぱいに使って自車両の現在位置と目的地およびその推奨経路を表示できる縮尺の地図情報を選択すると述べたが、これを具体的にどのように実現するのかについて説明しておく。
【００８５】
図９は、経路全体の推奨経路を線分であるリンクと点であるノードで表した説明図である。
【００８６】
図９は北半球において上側を北にした場合の地図である。このときノードＡは経路全体において経度最小となる点で、ノードＢは経度最大となる点である。同様にノードＣは緯度最小となる点であり、ノードＤは緯度最大となる点である。ここで、経路全体のうち、経度最小、経度最大、緯度最小および緯度最大の４点をとることで、図９に破線で示す矩形の領域が求められる。
【００８７】
従って、画面いっぱいに使って自車両の現在位置と目的地とを表示できる縮尺の地図情報を選択するには、図示の如くディスプレイ１６の表示範囲が当該矩形よりも若干大き目となる縮尺を選択すればよい。マージンとしては、ディスプレイ１６の表示範囲に対する矩形の大きさが、例えば９５％以下になるようにすれば良い。
【００８８】
なおこの計算は、現在位置検出部５からの自車両の現在位置と、指示入力部１０を介して設定された目的地の地点情報と、これらの情報に基づいて経路計算部１２で計算された推奨経路と、当該推奨経路に対応するリンクとノードの情報を有する地図情報を地図情報格納部７１から得て地図描画部１４１で行われる。また上述した如く、２．５の経路全体の地図は、目的地までの残存距離が短くなるほど縮尺が大きくなるが、地図表示情報の密度はその時点で使用されている縮尺の地図情報における地図表示情報の密度を用いればよい。
【００８９】
Ｓｔｅｐ６、Ｓｔｅｐ７あるいはＳｔｅｐ４の処理が終われば、図７のフローチャートはＳｔｅｐ５にて動作を終え、次回の使用者からの指示に備える。
【００９０】
なおＳｔｅｐ５で現在選択している地図をラストメモリとして記憶しておき、次回の起動時に使用するようにしても良い。
【００９１】
なお、実施の形態１では地図の表示目的として代表的な３種類を用意したが、他の地図の表示目的として目的地周辺表示、自宅周辺表示、経由地周辺表示、市町村単位の広域地図表示など種々のものが考えられ、これらの地図の目的に応じた地図表示情報の密度をそれぞれ設定しておき、いずれかの地図に画面遷移した際に予め設定した地図表示情報の密度で自動的に表示するようにしても良い。
【００９２】
実施の形態２.
上述の実施の形態１では、表示中の地図で使用されている縮尺の地図情報よりも下層側の地図情報を複数パーセル用いて圧縮して表示し、ディスプレイ１６の表示範囲を変えることなく地図表示情報の密度を高める例について説明した。
【００９３】
これに対し実施の形態２では、実施の形態１とは逆に、表示中の地図で現在使用されている縮尺の地図情報よりも上層側の地図情報を用いて、ディスプレイ１６の表示範囲を変えることなく地図表示情報の密度を低くする例について説明する。
【００９４】
地図の目的に応じて設定された地図表示情報の密度を低くすることが望ましい例としては、ディスプレイ１６上に表示される地図表示情報が多すぎて邪魔に感じる場合である。
【００９５】
例えば実施の形態１で説明した２．５の経路全体の地図の場合では、地図表示情報の密度の設定は、選択した縮尺の地図情報の地図表示情報の密度のままとした。しかしながら当該地図において地図表示情報はほとんど必要とされず、より密度が低いものが要求される可能性がある。
【００９６】
そこで実施の形態２では、２．５の経路全体の地図への変更指示があった場合には、地図の表示を変更するとともに地図表示情報の密度を、選択した縮尺の地図情報の地図表示情報の密度よりも自動的に低くすることとする。
【００９７】
図１０は、現在選択している縮尺の地図情報（図示、中層の地図情報）よりも１つ上層側の地図情報（図示、上層の地図情報）の１／４パーセルを伸張してディスプレイ１６の表示範囲に合わせた例を示す図である。ここで図１０において上層の地図情報は２ｋｍ四方を１パーセルとする地図情報であって、中層の地図情報は１ｋｍ四方を１パーセルとする地図情報、そして下層の地図情報は５００ｍ四方を１パーセルとする地図情報である。
【００９８】
実施の形態２では、図１０において太枠で囲った（ａ）経路全体の地図をディスプレイ１６の画面に表示するに際し、地図表示情報の密度を低くするものである。即ち、現在選択している縮尺の地図情報が中層の地図情報であったとする。このとき地図表示制御装置は、１つ上層の地図情報の１パーセル（２ｋｍ四方）のうち、その１／４に相当する１／４パーセル（１ｋｍ四方）を切り出している。そして地図表示制御装置は、この１／４パーセルの地図情報をディスプレイ１６の画面全体まで伸長してその画面に合わせて表示しているものである。従って、（ａ）経路全体の地図では、１つ上層の地図情報を用いて表示されることになるので、ディスプレイ１６の表示範囲が変わることなく地図表示情報の密度を低くすることが出来る。
【００９９】
同様に（ｂ）は現在位置周辺の地図をディスプレイ１６の画面に合わせて表示した地図である。図１０において中層の地図情報は１ｋｍ四方を１パーセルとする地図情報であって、この場合は、１パーセルである１ｋｍ四方をディスプレイ１６の画面にあわせてそのまま表示するものである。なお（ｂ）現在位置周辺の地図の縮尺は、１ｋｍ四方を表示する縮尺が選ばれているものとする。
【０１００】
（ｃ）は所望の施設周辺の地図をディスプレイ１６の画面に合わせて表示した地図である。図１０において下層の地図情報は５００ｍ四方を１パーセルとする地図情報であって、本来、５００ｍ四方をディスプレイ１６の画面にあわせて表示するものである。しかしながら（ｃ）の所望の施設周辺の地図を表示する場合は、実施の形態１で述べたとおり、地図表示情報の密度を高くするために１パーセルである５００ｍ四方を４つ集め、これを圧縮してディスプレイ１６の画面に合わせて表示している。なお（ｃ）所望の施設周辺の地図の縮尺は、１ｋｍ四方を表示する縮尺が選ばれているものとする。
【０１０１】
なお、図１０から明らかなように、（ａ）経路全体の地図、（ｂ）現在位置周辺の地図および（ｃ）所望の施設周辺の地図ともに１ｋｍ四方の表示範囲を有しているものの、表示に利用している地図情報の階層が異なるため、その地図表示情報の密度を変えることができるものである。
【０１０２】
なお、２．５の経路全体の地図は、自車両の現在位置と目的地との残存距離の減少により、上述した矩形の大きさに基づいて自動選択される縮尺が大きく（狭域側に）なるが、自動選択された縮尺の地図情報よりも１つ上の階層の地図情報の一部を伸長するようにしておけば、常に地図表示情報の密度を低くした地図を得ることができる。
【０１０３】
各種の地図の目的に応じて設定された地図表示情報の密度は、地図描画部１４１に予め各種の地図に対して設定しておいても良い。あるいは各種の地図の地図表示情報の密度は、推奨する初期値を地図描画部１４１に設定しておき、指示入力部１０からの使用者の指示によりこれを調整できるようにしても良い。
【０１０４】
なお実施の形態２の２．５の経路全体の地図は、実施の形態１の２．５の経路全体の地図に代えて使用することができる。
【０１０５】
上述の実施の形態１および２では、地図情報格納部７１に記憶されている地図情報は最新のものであるという前提で説明し、地図情報の更新についての説明は割愛した。しかしながら実際の地図情報としては、新たな施設や道路が設置されたりあるいは撤去されたりして、随時変化してゆくものである。
【０１０６】
そこで、地図情報格納部７１の地図情報の追加、一部更新、一部削除、全面削除もしくは全面更新などについて簡単に説明する。
【０１０７】
上述したとおり情報格納部７に格納されている地図情報は変更可能なものであり、コントロールユニット２の指示を受け情報更新部８により一部更新、一部追加、一部削除、全面削除あるいは全面更新などの変更が可能である。ここで９は車載用ナビゲーション複合装置に地図情報あるいはＡＶ情報を供給する情報入力部であることを既に説明した。
【０１０８】
従ってコントロールユニット２は、上述の情報メディア（ディスクメディア、半導体メディア、携帯型メディアなど情報入力部９に情報を提供する機能を有するもの、もしくは後述の通信機能を使用して情報入力部９に情報を提供する機能を有するものを総称して、情報メディアと称する）から最新の地図情報を受け取る。
【０１０９】
情報入力部９を介して情報メディアから地図情報を受け取ったコントロールユニット２は、使用者からの「全面更新」の指示を指示入力部１０が受けた場合は、地図情報格納部７１の地図情報を全て削除して、あるいは上書きして情報メディアに格納された地図情報を新たに書き込む。これらのデータ変更処理は、コントロールユニット２の指示を受け、情報更新部８が実行する。
【０１１０】
また一部更新、一部追加あるいは一部削除等の「一部変更」の場合は、使用者の指示による「手動変更」あるいは「自動変更」の２つの手法がある。「手動変更」は、使用者が変更を希望する範囲、例えば市町村、県単位を選択して、当該選択された範囲の地図情報格納部７１の地図情報を情報メディアに記録されている変更情報に基づいて、所望の範囲だけを修正すればよい。
【０１１１】
「自動変更」は、変更する範囲の優先順位をコントロールユニット２に委ねるもので、例えば、第１に自車両の現在位置を中心として数ｋｍ範囲（例えば１０ｋｍ）の変更があればこれを更新し、次に現在の推奨経路沿い数ｋｍ範囲（例えば推奨経路の左右２ｋｍ）に存在する変更を更新し、最後に目的地を中心として数ｋｍ範囲（例えば１０ｋｍ）に存在する変更を更新するとともに自宅を中心として数ｋｍ範囲（例えば１０ｋｍ）に存在する変更を更新する。なお、この方法では情報メディアから得られる変更情報を全て反映できるとは限らないが、少なくとも自車両の走行に関して必要な部分は更新されることになる。なお自動変更の優先順位や変更範囲などはこれに限られるものではない。
【０１１２】
また上述では情報入力部９と情報メディアで情報を授受する手法について記載したが、情報メディアを通信機器として、別途設置された情報センターと地図情報を授受するようにしても良い。あるいは情報入力部９が、情報センターと情報の授受を行う通信機器を内蔵し、この通信機器により上述の地図情報、交通情報もしくはＡＶ情報を授受するものであっても良い。またこの通信機器を内蔵する代わりに、上述の携帯型情報通信機器を情報メディアとして用いるものであっても良い。
【０１１３】
なおこのとき車両側から情報センターに送る情報としては、現在、地図情報格納部７１に格納されている地図情報のバージョンを送信し、情報センターにより新しい地図情報があるとき使用者の指示もしくは自動でダウンロードすればよい。
【０１１４】
なお、上述では車載用ナビゲーション複合装置は、地図情報格納部７１に格納された地図情報に基づいて動作する独立方式でも良いし、必要なときに必要な範囲の地図情報を通信にて入手しこれを一時記憶して使用する通信方式でも良いと説明した。
【０１１５】
ここで必要な範囲の情報とは現在の自車両位置周辺、推奨経路および所望の施設周辺の地図情報などである。この場合は、情報センターから常に最新の地図情報を得て用いることになるので、古い地図情報を更新するという手間が省ける。例えば現在位置周辺地図を表示している場合には、自車両の現在位置を中心に現在使用している縮尺の地図情報の９パーセルの地図をダウンロードしてＤＲＡＭなどのワークメモリ装置に一時記憶して表示に用いるとともに、自車両の走行に応じて新たな範囲の地図を獲得し不要となった走行済みの部分の地図を消去するようにしても良い。なお、上述したディスプレイに表示する地図の自動圧縮、自動伸長のためには現在使用中の縮尺の地図情報だけでは足らず、自動圧縮もしくは自動伸長する部分に対応する範囲の下層地図情報もしくは上層地図情報もダウンロードが必要であることに留意する。
【０１１６】
上述では地図情報の更新について中心に説明したが、ＡＶ情報格納部７２に記憶されたＡＶ情報の更新についても同様に、情報メディアの使用や通信により変更が可能である。
【０１１７】
以上のように上述した実施の形態において、地図表示制御装置は、ディスプレイに表示する地図表示情報を含んだ地図情報を格納する地図情報格納部と、使用者による目的に応じた地図への変更指示が入力可能な指示入力部と、地図の目的に応じて地図表示情報の密度を設定可能であるとともに、変更指示に基づき地図と地図の目的に応じて設定された地図表示情報の密度に合わせて地図情報を処理する情報描画部と、情報描画部の指示に基づいて変更された地図を地図に応じて設定された地図表示情報の密度でディスプレイに表示すべく指示信号を出力する表示制御部とを備えているので、使用者による目的に応じた地図への変更指示に基づき地図と地図の目的に応じて設定された地図表示情報の密度に合わせてディスプレイに情報を表示すべく指示信号を出力することができる。
【０１１８】
また上述した実施の形態において、地図表示制御装置は、現在位置を検出するためのセンサからの信号に基づき現在位置を特定する現在位置検出部と、指示入力部による使用者の指示に基づき所望の施設を検索する施設検索部と、指示入力部からの指示に基づき少なくとも現在位置周辺の地図もしくは所望の施設周辺の地図をディスプレイに表示すべく地図情報を処理する情報描画部を備え、情報描画部は所望の施設周辺の地図の地図表示情報の密度を、現在位置周辺の地図の地図表示情報の密度より高くして表示するので、所望の施設周辺の地図の地図表示情報の相互の位置関係も含めて詳細に知ることができる。
【０１１９】
また上述した実施の形態において、地図表示制御装置は、地図情報格納部は地図表示情報として各種アイコン、道路幅、文字を含み、情報描画部は指示された地図の地図表示情報の密度に応じて表示される地図表示情報のうち各種アイコン、道路幅、文字のうち少なくともいずれか１つの大きさを調整する、あるいは指示された地図の地図表示情報の密度に応じて文字の表示位置あるいは角度を調整するので、地図表示情報の密度を高くして表示しても見やすい表示の地図を得ることができる。
【０１２０】
また上述した実施の形態において、地図表示制御装置は、情報描画部は、指示入力部からの指示により表示中の地図について縮尺を変更すべき指示が入力された場合であっても、縮尺の変更前の地図表示情報の密度を維持するので、表示中の地図の縮尺を変更しても所望の地図表示情報の密度を維持できる。
【０１２１】
また上述した実施の形態において、地図表示制御装置は、地図情報格納部に格納されている地図情報は異なる縮尺に対応する複数の地図情報として階層化され、かつ、各々の縮尺における地図情報は複数の区画から構成されているものであって、情報描画部は、所望の施設周辺の地図を表示する指示を受けた場合には、所望の施設周辺の地図に対して使用されている縮尺の地図より詳細側の階層の地図情報を用いるとともに、詳細側の階層の地図情報において複数の区画を圧縮して画面に表示することにより地図表示情報の密度を高めるので、地図表示情報の密度を高めるために新たに地図情報を用意する必要がない。
【０１２２】
また上述した実施の形態において、地図表示制御装置は、ディスプレイに表示する地図表示情報を含んだ地図情報を格納する地図情報格納部と、使用者による目的に応じた地図への変更指示が入力可能な指示入力部と、地図の目的に応じて地図表示情報の密度を設定可能であるとともに、変更指示に基づき地図と地図の目的に応じて設定された地図表示情報の密度に合わせて地図情報を処理する情報描画部と、情報描画部の指示に基づいて変更された地図を地図に応じて設定された地図表示情報の密度でディスプレイに表示すべく指示信号を出力する表示制御部と、この表示制御部からの指示信号を受けて情報を表示するディスプレイとを備えたので、使用者による目的に応じた地図への変更指示に基づき地図と地図の目的に応じて設定された地図表示情報の密度に合わせてディスプレイに情報を表示することができる。
【０１２３】
以上、本発明の実施の形態およびその変形例について説明したが、本発明はその発明の範囲内において、実施の形態の組み合わせ、任意の構成要素の変形、置換もしくは実施の形態の任意の構成要素の省略が可能である。
【０１２４】
なお上述の実施の形態では、地図表示制御装置及びこれを用いたナビゲーション装置について説明したが、ナビゲーション装置としては車両、船舶、航空機などの移動体に搭載される移動体用ナビゲーション装置、これら移動体からの持ち出しあるいは搭載が可能なＰＮＤ（Ｐｅｒｓｏｎａｌ  Ｎａｖｉｇａｔｉｏｎ  Ｄｅｖｉｃｅ）や、人間（移動体の一種）が携行する携帯電話やタブレット等の携帯端末のナビゲーション機能を備えるものなど多様なものが存在する。また、上述の装置と協働して動作するオーディオ装置あるいはＡＶ装置などにも適用できる。
【符号の説明】
【０１２５】
１  地図表示制御装置、２  コントロールユニット、３  ＧＰＳ受信機、４  自立航法センサ、５  現在位置検出部、６  交通情報送受信部、７  情報格納部、８  情報更新部、９  情報入力部、１０  指示入力部、１１  施設検索部、１２  経路計算部、１３  誘導案内部、１４  情報描画部、１５  表示制御部、１６  ディスプレイ、１７  音声制御部、１８  スピーカー。
【図１】
2013103002.tif 000003
【図２】
2013103002.tif 000004
【図３】
2013103002.tif 000005
【図４】
2013103002.tif 000006
【図５】
2013103002.tif 000007
【図６】
2013103002.tif 000008
【図７】
2013103002.tif 000009
【図８】
2013103002.tif 000010
【図９】
2013103002.tif 000011
【図１０】
2013103002.tif 000012
【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
使用者による目的に応じた地図への変更指示が入力可能な指示入力部と、
ディスプレイに表示する地図表示情報を含んだ地図情報を取得し、前記地図の目的に応じて前記地図表示情報の密度を設定可能であるとともに、前記変更指示に基づき前記地図と当該地図の目的に応じて設定された地図表示情報の密度に合わせて前記地図情報を処理する情報描画部と、
該情報描画部の指示に基づいて前記変更された地図を当該地図に応じて設定された地図表示情報の密度で前記ディスプレイに表示すべく指示信号を出力する表示制御部と
を備え、
前記情報描画部は、前記使用者が前記指示入力部を用いて指示した前記地図の目的に応じて、自動的に地図表示情報の密度を変更する
ことを特徴とする地図表示制御装置。
【請求項２】
前記地図情報を格納する地図情報格納部をさらに備えることを特徴とする
請求項１記載の地図表示制御装置。
【請求項３】
現在位置を検出するためのセンサからの信号に基づき現在位置を特定する現在位置検出部と、
前記指示入力部による使用者の指示に基づき所望の施設を検索する施設検索部と、
前記指示入力部からの指示に基づき少なくとも現在位置周辺の地図もしくは前記所望の施設周辺の地図を前記ディスプレイに表示すべく前記地図情報を処理する情報描画部を備え、
該情報描画部は前記所望の施設周辺の地図の地図表示情報の密度を、前記現在位置周辺の地図の地図表示情報の密度より高くして表示することを特徴とする
請求項１または請求項２記載の地図表示制御装置。
【請求項４】
前記地図情報は地図表示情報として各種アイコン、道路幅、文字を含み、
前記情報描画部は指示された前記地図の地図表示情報の密度に応じて表示される該地図表示情報のうち各種アイコン、道路幅、文字のうち少なくともいずれか１つの大きさを調整する、あるいは指示された前記地図の地図表示情報の密度に応じて前記文字の表示位置あるいは角度を調整することを特徴とする
請求項３記載の地図表示制御装置。
【請求項５】
前記情報描画部は、前記指示入力部からの指示により表示中の前記地図について縮尺を変更すべき指示が入力された場合であっても、前記縮尺の変更前の地図表示情報の密度を維持することを特徴とする
請求項４記載の地図表示制御装置。
【請求項６】
前記地図情報は異なる縮尺に対応する複数の地図情報として階層化され、かつ、各々の縮尺における地図情報は複数の区画から構成されているものであって、
前記情報描画部は、前記所望の施設周辺の地図を表示する指示を受けた場合には、前記所望の施設周辺の地図に対して使用されている縮尺の地図より詳細側の階層の地図情報を用いるとともに、当該詳細側の階層の地図情報において複数の区画を圧縮して画面に表示することにより地図表示情報の密度を高めることを特徴とする
請求項３記載の地図表示制御装置。
【請求項７】
ディスプレイに表示する地図表示情報を含んだ地図情報を格納する地図情報格納部と、
使用者による目的に応じた地図への変更指示が入力可能な指示入力部と、
前記地図の目的に応じて前記地図表示情報の密度を設定可能であるとともに、前記変更指示に基づき前記地図と当該地図の目的に応じて設定された地図表示情報の密度に合わせて前記地図情報を処理する情報描画部と、
該情報描画部の指示に基づいて前記変更された地図を当該地図に応じて設定された地図表示情報の密度で前記ディスプレイに表示すべく指示信号を出力する表示制御部と、
この表示制御部からの指示信号を受けて情報を表示するディスプレイと
を備え、
前記情報描画部は、前記使用者が前記指示入力部を用いて指示した前記地図の目的に応じて、自動的に地図表示情報の密度を変更する
ことを特徴とするナビゲーション装置。
【手続補正２】
【補正対象書類名】明細書
【補正対象項目名】０００８
【補正方法】変更
【補正の内容】
【０００８】
この発明に係る地図表示制御装置は、使用者による目的に応じた地図への変更指示が入力可能な指示入力部と、ディスプレイに表示する地図表示情報を含んだ地図情報を取得し、地図の目的に応じて地図表示情報の密度を設定可能であるとともに、変更指示に基づき地図と地図の目的に応じて設定された地図表示情報の密度に合わせて地図情報を処理する情報描画部と、情報描画部の指示に基づいて変更された地図を地図に応じて設定された地図表示情報の密度でディスプレイに表示すべく指示信号を出力する表示制御部とを備え、情報描画部は、使用者が指示入力部を用いて指示した地図の目的に応じて、自動的に地図表示情報の密度を変更するものである。
【手続補正３】
【補正対象書類名】明細書
【補正対象項目名】０００９
【補正方法】変更
【補正の内容】
【０００９】
またこの発明に係るナビゲーション装置は、ディスプレイに表示する地図表示情報を含んだ地図情報を格納する地図情報格納部と、使用者による目的に応じた地図への変更指示が入力可能な指示入力部と、地図の目的に応じて地図表示情報の密度を設定可能であるとともに、変更指示に基づき地図と地図の目的に応じて設定された地図表示情報の密度に合わせて地図情報を処理する情報描画部と、情報描画部の指示に基づいて変更された地図を地図に応じて設定された地図表示情報の密度でディスプレイに表示すべく指示信号を出力する表示制御部と、この表示制御部からの指示信号を受けて情報を表示するディスプレイとを備え、情報描画部は、使用者が指示入力部を用いて指示した地図の目的に応じて、自動的に地図表示情報の密度を変更するものである。
【手続補正書】
【提出日】平成26年3月13日(2014.3.13)
【手続補正１】
【補正対象書類名】特許請求の範囲
【補正対象項目名】請求項１
【補正方法】変更
【補正の内容】
【請求項１】
使用者による目的に応じた地図への変更指示が入力可能な指示入力部と、
ディスプレイに表示する地図表示情報を含んだ地図情報を取得し、前記地図の目的に応じて前記地図表示情報の密度を設定可能であるとともに、前記変更指示に基づき前記地図と当該地図の目的に応じて設定された地図表示情報の密度に合わせて前記地図情報を処理する情報描画部と、
該情報描画部の指示に基づいて前記変更された地図を当該地図の目的に応じて設定された地図表示情報の密度で前記ディスプレイに表示すべく指示信号を出力する表示制御部と
を備え、
前記情報描画部は、前記使用者が前記指示入力部を用いて指示した前記地図の目的に応じて、自動的に地図表示情報の密度を変更する
ことを特徴とする地図表示制御装置。
【手続補正２】
【補正対象書類名】特許請求の範囲
【補正対象項目名】請求項３
【補正方法】変更
【補正の内容】
【請求項３】
現在位置を検出するためのセンサからの信号に基づき現在位置を特定する現在位置検出部と、
前記指示入力部による使用者の指示に基づき所望の施設を検索する施設検索部と、
前記指示入力部からの使用者の指示に基づき少なくとも現在位置周辺の地図もしくは前記所望の施設周辺の地図を前記ディスプレイに表示すべく前記地図情報を処理する情報描画部を備え、
該情報描画部は前記所望の施設周辺の地図の地図表示情報の密度を、前記現在位置周辺の地図の地図表示情報の密度より高くして表示することを特徴とする
請求項１または請求項２記載の地図表示制御装置。
【手続補正３】
【補正対象書類名】特許請求の範囲
【補正対象項目名】請求項７
【補正方法】変更
【補正の内容】
【請求項７】
ディスプレイに表示する地図表示情報を含んだ地図情報を格納する地図情報格納部と、
使用者による目的に応じた地図への変更指示が入力可能な指示入力部と、
前記地図の目的に応じて前記地図表示情報の密度を設定可能であるとともに、前記変更指示に基づき前記地図と当該地図の目的に応じて設定された地図表示情報の密度に合わせて前記地図情報を処理する情報描画部と、
該情報描画部の指示に基づいて前記変更された地図を当該地図の目的に応じて設定された地図表示情報の密度で前記ディスプレイに表示すべく指示信号を出力する表示制御部と、
この表示制御部からの指示信号を受けて情報を表示するディスプレイと
を備え、
前記情報描画部は、前記使用者が前記指示入力部を用いて指示した前記地図の目的に応じて、自動的に地図表示情報の密度を変更する
ことを特徴とするナビゲーション装置。
【手続補正４】
【補正対象書類名】明細書
【補正対象項目名】０００８
【補正方法】変更
【補正の内容】
【０００８】
この発明に係る地図表示制御装置は、使用者による目的に応じた地図への変更指示が入力可能な指示入力部と、ディスプレイに表示する地図表示情報を含んだ地図情報を取得し、地図の目的に応じて地図表示情報の密度を設定可能であるとともに、変更指示に基づき地図と地図の目的に応じて設定された地図表示情報の密度に合わせて地図情報を処理する情報描画部と、情報描画部の指示に基づいて変更された地図を地図の目的に応じて設定された地図表示情報の密度でディスプレイに表示すべく指示信号を出力する表示制御部とを備え、情報描画部は、使用者が指示入力部を用いて指示した地図の目的に応じて、自動的に地図表示情報の密度を変更するものである。
【手続補正５】
【補正対象書類名】明細書
【補正対象項目名】０００９
【補正方法】変更
【補正の内容】
【０００９】
またこの発明に係るナビゲーション装置は、ディスプレイに表示する地図表示情報を含んだ地図情報を格納する地図情報格納部と、使用者による目的に応じた地図への変更指示が入力可能な指示入力部と、地図の目的に応じて地図表示情報の密度を設定可能であるとともに、変更指示に基づき地図と地図の目的に応じて設定された地図表示情報の密度に合わせて地図情報を処理する情報描画部と、情報描画部の指示に基づいて変更された地図を地図の目的に応じて設定された地図表示情報の密度でディスプレイに表示すべく指示信号を出力する表示制御部と、この表示制御部からの指示信号を受けて情報を表示するディスプレイとを備え、情報描画部は、使用者が指示入力部を用いて指示した地図の目的に応じて、自動的に地図表示情報の密度を変更するものである。
【国際調査報告】
2013103002.tif 000013
2013103002.tif 000014
2013103002.tif 000015
2013103002.tif 000016